(57)【特許請求の範囲】
【請求項１】
正逆転方向に回転可能な駆動源により、カード挿入口に挿入されたカードをカード取り込み方向に搬送し、さらに、前記カードを前記カード挿入口から排出するために前記カードを搬送するカード搬送路を有するカードリーダのカード搬送機構において、第１のローラと該第１のローラに対向配置された第２及び第３のローラを有する３連ローラを、前記カード搬送路から分岐する第１のカード分岐通路と第２のカード分岐通路の途中に設け、前記第１のカード分岐通路上を前記第１のローラと第２のローラとによってカードを挟んで搬送し、前記第２のカード分岐通路上を前記第１のローラと第３のローラによってカードを挟んで搬送し、前記第１のローラに同一方向の回転トルクを伝達する第１及び第２のワンウェイクラッチギアと、駆動ギアの回転を前記第１のワンウェイクラッチギアに伝達する第１の回転伝達機構と、前記駆動ギアの回転を前記第２のワンウェイクラッチギアに伝達する第２の回転伝達機構を備え、前記駆動ギアは、前記カードリーダのカード挿入口から前記カードを取り込む正方向の回転と、前記カード挿入口に向けて前記カードを搬送する逆方向の回転との正逆方向に回転して前記カードの搬送を行うローラ対の前記駆動源によって回転されるものであり、前記第１の回転伝達機構と第２の回転伝達機構のうち何れか一方は前記駆動ギアの回転を逆方向の回転にして出力するものであり、前記駆動ギアがいずれの方向に回転しても前記第１のローラは同一方向に回転することを特徴とするカードリーダのカード搬送機構。
【請求項２】
前記第１の回転伝達機構と第２の回転伝達機構のうち何れか一方は２つの歯車の歯車列により、何れか他方は単一の歯車により構成されていることを特徴とする請求項１記載のカードリーダのカード搬送機構。
【発明の詳細な説明】
【０００１】
【発明の属する技術分野】
本発明は、カードリーダのカード搬送機構に関する。更に詳述すると、本発明は、分岐する第１及び第２のカード分岐通路を有し、３連ローラによって第１のカード分岐通路と第２のカード分岐通路上をそれぞれ逆方向にカード搬送するカードリーダのカード搬送機構に関するものである。
【０００２】
【従来の技術】
カードリーダは様々な分野で使用されており、顧客側のニーズ等に応じてカードリーダの後部に、取り忘れて残されたカードや排出不可能となったカード等を回収するリジェクトボックスや、プリペイドカード等を発行するカード発行装置を追加して使用することがある。リジェクトボックスやカード発行装置を追加したカードリーダではカード通路を分岐させており、リジェクトボックスへのカードの送り出しや、カード発行装置からのカードの受け取りを可能にしている。
【０００３】
図６に、従来のカードリーダのカード搬送機構を示す。リジェクトボックス１０１及びカード発行装置１０２の手前側には、３連ローラ１０３が設けられている。この３連ローラ１０３のうち、下側の２つのローラ１０４，１０５によってカードリーダ内のカードをリジェクトボックス１０１ヘ送り出すようにし、上側２つのローラ１０４，１０６によってカード発行装置１０２からカード等をカードリーダ内に受け取るようにしている。即ち、リジェクトボックス１０１に通じるカード通路１０７と、カード発行装置１０２に通じるカード通路１０８はともに一方通行となっている。また、３連ローラ１０３の中央に配置された中央ローラ１０４はゴムローラであり、中央ローラ１０４の回転軸に設けられたギア１１０には図示しない駆動モータから駆動ギア１１１、連結ギア１１２，１０９を介して駆動力が伝達されている。なお、図中符号１１４は、カード搬送を行う搬送ローラ対である。
【０００４】
また、別のタイプのカード搬送機構として、図７に示すように、３連ローラ１０３の中央ローラ１０４にワンウェイクラッチギア１１３を設けたものがある。このカード搬送機構では、駆動ギア１１１が図中時計回り方向とは反対方向に回転した場合には中央ローラ１０４を回転させることができるが、駆動ギア１１１が図中時計回り方向に回転した場合には中央ローラ１０４の逆方向への回転を防止することができる。つまり、駆動ギア１１１を図中時計回り方向とは反対方向に回転させることで、この回転は、駆動ギア１１１→連結ギア１１２→連結ギア１０９→ワンウェイクラッチギア１１３→中央ローラ１０４へと伝達され、カードリーダ内のカードをリジェクトボックス１０１へ送り出したり、カード発行装置１０２から発行されたカードを受け取ることができる。
【０００５】
【発明が解決しようとする課題】
しかしながら、図６のカード搬送機構では、駆動ギア１１１が図中時計回り方向に回転した場合には中央ローラ１０４が逆方向に回転してしまうため、リジェクトボックス１０１に収納されているカードがカード通路１０７に逆流する可能性がある。
【０００６】
つまり、カードリーダのコンパクト化の要請より、一般にリジェクトボックス１０１内の奥行き寸法はカード長に対してあまり余裕をもって設計されておらず、３連ローラ１０３とリジェクトボックス１０１とを可能な限り近づけて配置している。したがって、リジェクトボックス１０１内のカードの先端の近くに３連ローラ１０３の駆動ローラである中央ローラ１０４が配置されることになり、中央ローラ１０４が逆回転するとカードリーダ側に向けてカードが逆流する虞がある。
【０００７】
また、図７に示すカード搬送機構では、ワンウェイクラッチギア１１３を設けることで中央ローラ１０４の逆転を防止できるので、リジェクトボックス１０１内のカードが逆流する虞はないものの、以下の不具合があった。
【０００８】
即ち、カード発行装置１０２から発行されたカードは、中央ローラ１０４と上側ローラ１０６によって挟まれて搬送され搬送ローラ対１１４に受け渡されるが、カード発行装置１０２よりカードを受け取るには、駆動ギア１１１を図中時計回り方向とは反対方向に回転させるために搬送ローラ対１１４をカードを奥側に搬送する方向に回転させる必要がある。そして、この後カードをカードリーダのゲイト側（図７中右側）に搬送するためには、搬送ローラ対１１４の回転を逆転させなければならない。
【０００９】
ここで、カードの搬送を確実にするために、３連ローラ１０３と搬送ローラ対１１４の間隔は搬送されるカードよりも狭くなっており、カードは３連ローラ１０３と搬送ローラ対１１４によって同時に挟まれるように設計されている。このため、カードが３連ローラ１０３と搬送ローラ対１１４の両方に挟まれている状態で搬送ローラ対１１４を逆転させることになるが、搬送ローラ対１１４が逆転すると駆動ギア１１１も逆転するため、ワンウェイクラッチギア１１３が作動して中央ローラ１０４が回転フリーの状態になる。したがって、カードは搬送ローラ対１１４のみならず３連ローラ１０３によっても挟まれてはいるが、搬送ローラ対１１４のみの駆動力によって搬送されることになる。
【００１０】
カードの搬送を行う駆動手段を３連ローラ１０３から搬送ローラ対１１４に切り換える際にはカードの搬送は不安定になり、カード搬送の駆動力に余裕がなければ、例えば外乱が作用した場合等にはカードが搬送ローラ対１１４に搬送可能に挟み込まれず、３連ローラ１０３と搬送ローラ対１１４との間でカードが滞留してしまう虞があった。したがって、搬送ローラ対１１４を逆転させている場合にも３連ローラ１０３を駆動させたいとの要請があった。
【００１１】
本発明は、３連ローラの回転方向を一定方向にすることができると共に、常に３連ローラがカードを搬送する駆動力を発揮しうるカードリーダのカード搬送機構を提供することを目的とする。
【００１２】
【課題を解決するための手段】
かかる目的を達成するために請求項１記載の発明は、正逆転方向に回転可能な駆動源により、カード挿入口に挿入されたカードをカード取り込み方向に搬送し、さらに、カードをカード挿入口から排出するためにカードを搬送するカード搬送路を有するカードリーダのカード搬送機構において、第１のローラと該第１のローラに対向配置された第２及び第３のローラを有する３連ローラを、カード搬送路から分岐する第１のカード分岐通路と第２のカード分岐通路の途中に設け、第１のカード分岐通路上を第１のローラと第２のローラとによってカードを挟んで搬送し、第２のカード分岐通路上を第１のローラと第３のローラによってカードを挟んでし、第１のローラに同一方向の回転トルクを伝達する第１及び第２のワンウェイクラッチギアと、駆動ギアの回転を第１のワンウェイクラッチギアに伝達する第１の回転伝達機構と、駆動ギアの回転を第２のワンウェイクラッチギアに伝達する第２の回転伝達機構を備え、駆動ギアは、カードリーダのカード挿入口からカードを取り込む正方向の回転と、カード挿入口に向けてカードを搬送する逆方向の回転との正逆方向に回転してカードの搬送を行うローラ対の駆動源によって回転されるものであり、第１の回転伝達機構と第２の回転伝達機構のうち何れか一方は駆動ギアの回転を逆方向の回転にして出力するものであり、駆動ギアがいずれの方向に回転しても第１のローラは同一方向に回転するように構成されている。
【００１３】
したがって、駆動ギアの回転は２つのルート（駆動ギア→第１の回転伝達機構→第１のワンウェイクラッチギア→第１のローラ、駆動ギア→第２の回転伝達機構→第２のワンウェイクラッチギア→第１のローラ）によって３連ローラの第１のローラに伝えられる。これらのルートは、互いに別々の方向の駆動ギアの回転を第１のローラに同一方向の回転として伝えるので、例えば駆動ギアが正転した場合には第１の回転伝達機構及び第１のワンウェイクラッチギアによって第１のローラが回転され、駆動ギアが逆転した場合には第２の回転伝達機構及び第２のワンウェイクラッチギアによって第１のローラが回転されることになる。即ち、駆動ギアをいずれの方向に回転させても第１のローラを常に一定方向に回転させることができる。駆動ギアの回転方向とは無関係に第１のローラが一定方向に回転するので、第２及び第３のローラの回転も一定方向になり、第１及び第２のカード分岐通路上を搬送されるカードの搬送方向も常に一定方向になる。また、駆動ギアがいずれの方向に回転しても第１のローラが回転フリーの状態になることはなく、カード搬送を行う駆動力が常に発揮される。さらに、カード搬送を行うローラ対の駆動源によって駆動ギアを回転させるものであり、駆動ギアを回転させるために特別な駆動源が不要になる。
【００１４】
また、請求項２記載のカードリーダのカード搬送機構は、第１の回転伝達機構と第２の回転伝達機構のうち何れか一方は２つの歯車の歯車列により、何れか他方は単一の歯車により構成されているものである。したがって、第１及び第２の回転伝達機構を、最も少ない数の歯車の組み合わせで構成することができる。
【００１６】
【発明の実施の形態】
以下、本発明の構成を図面に示す最良の形態に基づいて詳細に説明する。
【００１７】
図１〜図４に、本発明を適用したカードリーダのカード搬送機構の実施形態の一例を示す。このカード搬送機構１は、第１のローラ２と該第１のローラ２に対向配置された第２及び第３のローラ３，４を有する３連ローラ５を、分岐する第１のカード分岐通路６と第２のカード分岐通路７の途中に設けており、第１のカード分岐通路６上を第１のローラ２と第２のローラ３とによってカード４０（図５）を挟んで搬送し、第２のカード分岐通路７上を第１のローラ２と第３のローラ４によってカード４０を挟んで搬送する。特に、第１のローラ２に同一方向の回転トルクを伝達する第１及び第２のワンウェイクラッチギア８，９と、駆動ギア１０の回転を第１のワンウェイクラッチギア８に伝達する第１の回転伝達機構１１と、駆動ギア１０の回転を第２のワンウェイクラッチギア９に伝達する第２の回転伝達機構１２を備え、第１の回転伝達機構１１と第２の回転伝達機構１２のうち何れか一方は駆動ギア１０の回転を逆方向の回転にして出力するものであり、駆動ギア１０がいずれの方向に回転しても第１のローラ２は同一方向に回転するように構成されている。
【００１８】
カードリーダはカード４０として、例えば図５（Ａ）に示すキャッシュカード等の比較的厚みのある硬カードや図５（Ｂ）に示す振込券やプリペイドカード等に代表される薄カード等を含む磁気カードと、図５（Ｃ）に示す磁気ストライプ付きのＩＣカードを兼用に使用できるものであり、カードメイン通路（カード搬送路）１３の奥側がカード通路１４とカード通路１５に分岐している。また、このカードリーダには、薄カード４０等を回収するリジェクトボックス１６と、薄カード４０等を発行するカード発行装置１７が取り付けられており、カード通路（カード搬送路）１５は第１のカード分岐通路６と第２のカード分岐通路７に分岐している。
【００１９】
カード通路１４とカード通路１５の分岐位置には、カード４０の進入通路を振り分ける第１のフラップ１８が設けられている。第１のフラップ１８は図示しないソレノイド等の駆動手段によって上下方向に揺動され、第１のフラップ１８が上位置に揺動するとカード４０はカードメイン通路１３からカード通路１４に進入し、第１のフラップ１８が下位置に揺動するとカード４０はカードメイン通路１３からカード通路１５に進入する。
【００２０】
また、第１のカード分岐通路６と第２のカード分岐通路７の分岐位置には、カード４０の進入通路を制限する第２のフラップ１９が設けられている。第２のフラップ１９は図示しないスプリングによって上位置に向けて付勢されており、この状態ではカード４０はカード通路１５から第１のカード分岐通路６に進入してリジェクトボックス１６に送り出される。一方、カード発行装置１７によって発行されたカード４０は第２のカード分岐通路７から第２のフラップ１９を押し下げてカード通路１５に進入する。
【００２１】
カードメイン通路１３の途中には、磁気ヘッド２０が設けられている。この磁気ヘッド２０は、カードメイン通路１３上を搬送されるカード４０の磁気ストライプ４０ａに摺接し、磁気データのリードライトを行う。また、カード通路１４の途中にはＩＣ接点ブロック２１が設けられている。ＩＣ接点ブロック２１はＩＣカード４０がカード通路１４の所定位置まで搬送されるとカード通路１４内に突出し、ＩＣカード４０のＩＣ接点４０ｂに接触してデータのリード・ライトを行う。そして、リード・ライトが終了すると、カード通路１４より退避する。
【００２２】
また、カード挿入口２２の近傍には、カード検出用の磁気ヘッド２３が設けられている。カード挿入口２２に挿入されたカード４０の磁気ストライプ４０ａを磁気ヘッド２３が検出すると、駆動モータ（駆動源）２４が始動してプーリ２５を回転させる。プーリ２５の回転はベルト２６を介してプーリ２７に伝達され、このプーリ２７と一体回転するプーリ２８からベルト２９に伝達される。このベルト２９の回転によってカードメイン通路１３内の各ローラ対３０〜３４が回転し、カードメイン通路１３に取り込んだカード４０を搬送する。また、カードメイン通路１３の最も奥側に設けられているローラ対３４の回転は、ベルト３５によって駆動ギア１０に伝達される。
【００２３】
駆動モータ２４は正逆両方向に回転可能であり、駆動モータ２４の回転方向を切り換えることで、各ローラ対３０〜３４を正逆両方向に回転させることができ、カード挿入口２２からのカード４０の取り込みとカード挿入口２２へのカード４０の排出を行うことができる。
【００２４】
駆動ギア１０には、第１の回転伝達機構１１と第２の回転伝達機構１２が接続されている。本実施形態では、第１の回転伝達機構１１は２つの歯車３６，３７の歯車列により、第２の回転伝達機構１２は単一の歯車３８により構成されている。したがって、第１の回転伝達機構１１は駆動ギア１０の回転を同方向の回転として出力し、第２の回転伝達機構１２は駆動ギア１０の回転を逆方向の回転として出力する。即ち、第１の回転伝達機構１１の歯車３７は駆動ギア１０と同方向に回転し、第２の回転伝達機構１２である歯車３８は駆動ギア１０と逆方向に回転する。
【００２５】
第１及び第２のワンウェイクラッチギア８，９は、３連ローラ５を構成する第１のローラ（ゴムローラ）２の回転軸３９上に設けられている。第１及び第２のワンウェイクラッチギア８，９は図４中時計回り方向の回転トルクを回転軸３９に伝えるが、図４中時計回りと反対方向には空転して回転トルクの伝達を行わない。したがって、第１のローラ２は図４中時計回り方向にのみ回転駆動される。
【００２６】
第１のローラ２が図４中時計回り方向に回転すると、この第１のローラ２と対を成す第２及び第３のローラ３，４は図４中時計回り方向と反対方向に回転する。したがって、第１のカード分岐通路６においてはカード４０はリジェクトボックス１６に送り出される方向にのみ搬送され、第２のカード分岐通路７においてはカード４０はカード発行装置１７から受け取る方向にのみ搬送される。３連ローラ５と最も奥側に位置するローラ対３４との間隔はカード４０の全長よりも狭く設定されており、３連ローラ５とローラ対３４とがカード４０を同時に挟んでカード４０を搬送する駆動力の切り換え（カード４０の受け渡し）を確実に行うことができる。
【００２７】
次に、カード搬送機構１の作動について説明する。
【００２８】
駆動ギア１０の回転は、第１及び第２の回転伝達機構１１，１２を介して第１及び第２のワンウェイクラッチギア８，９に伝えられる。いま、駆動ギア１０が図４中時計回り方向とは反対方向（実線の矢印方向）に回転すると、２つの歯車３６，３７の歯車列である第１の回転伝達機構１１によって回転される第１のワンウェイクラッチギア８は、図４中時計回り方向、即ち第１のローラ２に回転トルクを伝達する方向に回転する。一方、単一の歯車３８である第２の回転伝達機構１２によって回転される第２のワンウェイクラッチギア９は、図４中時計回り方向とは反対方向、即ち空転する方向に回転する。これらのため、第１のローラ２には、駆動ギア１０→第１の回転伝達機構１１→第１のワンウェイクラッチギア８を介して回転トルクが伝達され、３連ローラ５の第１のローラ２と第２のローラ３は第１のカード分岐通路６上のカード４０をリジェクトボックス１６に送り出す方向に回転し、第１のローラ２と第３のローラ４はカード発行装置１７からカード４０を受け取る方向に回転する。
【００２９】
逆に、駆動ギア１０が図４中時計回り方向（２点鎖線の矢印方向）に回転すると、２つの歯車３６，３７の歯車列である第１の回転伝達機構１１によって回転される第１のワンウェイクラッチギア８は、図４中時計回り方向とは反対方向、即ち空転する方向に回転する。一方、単一の歯車３８である第２の回転伝達機構１２によって回転される第２のワンウェイクラッチギア９は、図４中時計回り方向、即ち第１のローラ２に回転トルクを伝達する方向に回転する。これらのため、第１のローラ２には、駆動ギア１０→第２の回転伝達機構１２→第２のワンウェイクラッチギア９を介して回転トルクが伝達され、３連ローラ５の第１のローラ２と第２のローラ３は第１のカード分岐通路６上のカード４０をリジェクトボックス１６に送り出す方向に回転し、第１のローラ２と第３のローラ４はカード発行装置１７からカード４０を受け取る方向に回転する。
【００３０】
つまり、駆動ギア１０がいずれの方向に回転しても３連ローラ５は常に同一方向に回転することになる。したがって、第１及び第２のカード分岐通路６，７を一方通行にすることができ、リジェクトボックス１６内に回収されたカード４０が誤ってカードリーダ内に取り込まれたり、カードリーダ内のカード４０が誤ってカード発行装置１７に送り出されたりする誤動作を確実に防止することができる。また、第１のローラ２には、常に第１のワンウェイクラッチギア８又は第２のワンウェイクラッチギア９によって回転トルクが伝達されている。したがって、３連ローラ５が回転フリーの状態にはならずに常に駆動ローラとなり、ローラ対３４との間でカード４０の受け渡しを行う場合にも駆動力を発揮してカード４０の受け渡しを確実に行うことができる。
【００３１】
このカードリーダにおいて、カードメイン通路１３上のカード４０をリジェクトボックス１６に送り出す場合には、第１のフラップ１８を下位置に揺動させておく。駆動モータ２４が図３中時計回り方向とは反対方向に回転すると、各ローラ対３０〜３４がカード４０をカード挿入口２２から取り込む方向に回転し、カードメイン通路１３上をカード４０が奥側に搬送される。そして、カード４０の先端が第１のフラップ１８に到達すると、カード４０は第１のフラップ１８の上面にガイドされて上昇しカード通路１５に進入する。一方、第２のフラップ１９は図示しないスプリングによって上位置に付勢されているので、カード４０は第２のフラップ１９の下面にガイドされて第１のカード分岐通路６に進入する。
【００３２】
一方、ローラ対３４がカード４０を取り込む方向に回転することで駆動ギア１０は図４中時計回り方向とは反対方向に回転するので、駆動ギア１０の回転は、駆動ギア１０→第１の回転伝達機構１１→第１のワンウェイクラッチギア８→回転軸３９→３連ローラ５へと伝達される。このため、第１のカード分岐通路６に進入したカード４０は３連ローラ５の第１のローラ２と第２のローラ３に挟まれてリジェクトボックス１６に向けて送り出される。第１のローラ２は第１のワンウェイクラッチギア８によって伝達される回転トルクによって駆動ローラとなっているので、ローラ対３４から３連ローラ５へのカード４０の受け渡しは確実に行われる。
【００３３】
また、カード発行装置１７から発行されたカード４０を受け取って第２のカード分岐通路７を通じてカードメイン通路１３に導く場合にも、第１のフラップ１８を下位置に揺動させておく。この場合、駆動モータ２４を図４中時計回り方向に回転させると、駆動ギア１０は図４中時計回り方向に回転するので、駆動ギア１０の回転は、駆動ギア１０→第２の回転伝達機構１２→第２のワンウェイクラッチギア９→回転軸３９→３連ローラ５へと伝達される。このため、カード発行装置１７から第２のカード分岐通路７に取り込まれたカード４０は３連ローラ５の第１のローラ２と第３のローラ４に挟まれて搬送され、第２のフラップ１９を押し下げてカード通路１５に進入し、更に第１のフラップ１８の上面にガイドされてカードメイン通路１３に進入する。
【００３４】
一方、駆動モータ２４が図４中時計回り方向に回転することで、各ローラ対３０〜３４はカード４０をカード挿入口２２に向けて搬送する方向に回転する。このため、カード４０の先端がメイン通路１３の最も奥側のローラ対３４に到達すると、このローラ対３４によってカードメイン通路１３に引き込まれる。この場合には、第１のローラ２は第２のワンウェイクラッチギア９によって伝達される回転トルクによって駆動ローラとなっているので、３連ローラ５からローラ対３４へのカード４０の受け渡しは確実に行われる。
【００３５】
なお、カード挿入口２２から取り込んだＩＣカード４０をカード通路１４に搬送して処理する場合には、第１のフラップ１８を上位置に揺動させておく。この場合には、各ローラ対３０〜３４によって奥側に向けて搬送されるＩＣカード４０は、カードメイン通路１３から直進してカード通路１４に進入する。そして、カード通路１４の所定位置に到達すると、駆動モータ２４がオフとなってＩＣカード４０の搬送が停止する。この時、ＩＣ接点ブロック２１がカード通路１４内に突出してＩＣカード４０の接点に接触し、データのリード・ライトを行う。リード・ライト終了後にＩＣ接点ブロック２１はカード通路１４から退避し、この後、ＩＣカード４０は各ローラ対３０〜３４によってカード挿入口２２に向けて搬送される。
【００３６】
なお、上述の形態は本発明の好適な形態の一例ではあるがこれに限定されるものではなく本発明の要旨を逸脱しない範囲において種々変形実施可能である。例えば、上述の説明では、図２に示すように、第１のワンウェイクラッチギア８よりも第２のワンウェイクラッチギア９を外側に配置しているが、この配置関係を逆にすると共に、第１の回転伝達機構１１と第２の回転伝達機構１２の配置関係を逆にしても良い。
【００３７】
また、第１のローラ２の回転軸３９に設けるワンウェイクラッチギアの数を１つとし、このワンウェイクラッチギアに対して第１の回転伝達機構１１と第２の回転伝達機構１２を選択的に連結するようにしても良い。即ち、駆動ギア１０の回転方向に応じてワンウェイクラッチギアに連結する回転伝達機構をソレノイド等の駆動手段によって切り替えるようにしても良い。
【００３８】
また、第１のローラ２の回転軸３９を別の駆動源（モータ）を用いて制御するようにしても良い。
【００３９】
さらに、上述の説明では、第１及び第２の回転伝達機構１１，１２を歯車伝達にしていたが、例えばベルト伝達等にしても良い。
【００４０】
【発明の効果】
以上説明したように、請求項１記載のカードリーダのカード搬送機構では、第１のローラに同一方向の回転トルクを伝達する第１及び第２のワンウェイクラッチギアと、駆動ギアの回転を第１のワンウェイクラッチギアに伝達する第１の回転伝達機構と、駆動ギアの回転を第２のワンウェイクラッチギアに伝達する第２の回転伝達機構を備え、第１の回転伝達機構と第２の回転伝達機構のうち何れか一方は駆動ギアの回転を逆方向の回転にして出力するものであり、駆動ギアがいずれの方向に回転しても第１のローラは常に同一方向に回転するので、第１及び第２のカード分岐通路を一方通行にすることができる。このため、例えば第１のカード分岐通路をリジェクトボックスに通じさせ、第２のカード分岐通路をカード発行装置に通じさせた場合に、リジェクトボックスからのカードの逆流やカード発行装置へのカードの逆流等の誤作動を防止することができる。また、駆動ギアがいずれの方向に回転しても第１のローラに回転トルクを伝達することができるので、３連ローラを駆動ローラにすることができる。このため、３連ローラとカード搬送ローラとの間でカードの受け渡しをスムーズに且つ確実に行うことができる。
さらに、カード搬送を行うローラ対の駆動源によって駆動ギアを回転させているので、駆動ギアを回転させるために特別な駆動源が不要になり、部品点数の増加をより一層抑えることができると共に、装置の小型化・単純化をより一層図ることができる。また、この場合であっても、カード搬送を行うローラ対と一緒に回転する駆動ギアの回転方向に影響されずに第１のローラを常に同一方向に回転させることができるので、３連ローラからローラ対にカードを受け渡す際に当該ローラ対の回転方向を３連ローラの回転方向に一致させることができる。即ち、３連ローラからローラ対へのカードの受け渡しを行う際にカード搬送ローラを逆回転させる必要がなくなるので、カードの受け渡しをスムーズに且つ確実に行うことができる。
【００４１】
また、請求項２記載のカードリーダのカード搬送機構では、第１の回転伝達機構と第２の回転伝達機構のうち何れか一方を２つの歯車の歯車列により、何れか他方を単一の歯車により構成しているので、最も少ない数の歯車の組み合わせによって第１及び第２の回転伝達機構を構成することができる。このため、部品点数の増加を抑えることができると共に、装置の小型化・単純化を図ることができる。
【図面の簡単な説明】
【図１】本発明を適用したカードリーダのカード搬送機構の概略構成を示す側面図である。
【図２】同カード搬送機構の概略構成を示す平面図である。
【図３】同カード搬送機構を備えるカードリーダの概略構成図である。
【図４】同カード搬送機構の作動を示す概略構成図である。
【図５】カードリーダで使用されるカードを示し、（Ａ）は硬カードの平面図、（Ｂ）は薄カードの平面図、（Ｃ）はＩＣカードの平面図である。
【図６】従来のカードリーダのカード搬送機構の概念図である。
【図７】別のタイプの従来のカードリーダのカード搬送機構の概念図である。
【符号の説明】
１  カード搬送機構
２  第１のローラ
３  第２のローラ
４  第３のローラ
５  ３連ローラ
６  第１のカード分岐通路
７  第２のカード分岐通路
８  第１のワンウェイクラッチギア
９  第２のワンウェイクラッチギア
１０  駆動ギア
１１  第１の回転伝達機構
１２  第２の回転伝達機構
２４  駆動モータ（駆動源）
３４  カード搬送を行うローラ対
４０  カード
【図１】
0003995859.tif 000002
【図２】
0003995859.tif 000003
【図３】
0003995859.tif 000004
【図４】
0003995859.tif 000005
【図５】
0003995859.tif 000006
【図６】
0003995859.tif 000007
【図７】
0003995859.tif 000008